(57)【要約】  本発明は、回転ディスク（６）付きピザボックスを形成するためのブランクの形態のピザボックスに関する。本発明によれば、ピザボックスは、ボックス内に配置され、ピザをその上に置くことができる回転可能ディスクと、ミシン目縁部によってボックス内に画定され、それによって消費者がディスク（６）へのアクセスを得ることができる開口部分（４）と、を備える。本発明によれば、開口部分は、ボックスの底部からカバーまで延在し、ディスクは、ボックスの底部内に収まる。【選択図】図６
2021534047.tif 000002
【特許請求の範囲】
【請求項１】
ピザボックスを形成するためのブランクの形態のピザボックスであって、
底面と、
カバー面と、
前記底面の第１の辺を前記カバー面に回動可能に接続する第１の回動面と、
少なくともミシン目縁部によって画定されている開口部分とを備え、
前記開口部分が、少なくとも部分的に前記第１の回動面内に、かつ少なくとも部分的に前記カバー面内に位置し、
前記ブランクが、
解放可能ディスクを備えるディスク面であって、前記解放可能ディスクは、少なくとも部分的にミシン目縁部によって画定され、前記底面内に収まり、解放されたときに、前記底面内で回転可能である、ディスク面と、
前記底面の第２の辺を前記ディスク面に回動可能に接続する第２の回動面と、をさらに備えることを特徴とし、
前記開口部分が、部分的に前記底面内に同様に位置する、ブランクの形態のピザボックス。
【請求項２】
前記第２の回動面が、回動可能に結合された第１の部分および第２の部分を備え、前記第１の部分が、前記底面に回動可能に接続され、前記第２の部分は、前記ディスク面に回動可能に接続され、前記第２の回動面が、ユーザが、前記第１の部分および第２の部分を折り畳むことによって、前記ディスク面を前記底面上に移動させることを可能にし、前記第１の部分が、前記形成されたピザボックスの外壁を少なくとも部分的に形成し、前記第２の部分は、内壁を少なくとも部分的に形成し、
前記ディスク面が、前記底面上に移動された後、前記底面内に全体的に収まる、請求項１に記載のブランクの形態のピザボックス。
【請求項３】
前記底面の前記第１の辺が、前記底面の前記第２の辺とは反対側に位置する、請求項１または２に記載のブランクの形態のピザボックス。
【請求項４】
前記底面と前記カバー面とは、矩形の形態を有し、好ましくは正方形の形態を有する、請求項１〜３のいずれか１項に記載のブランクの形態のピザボックス。
【請求項５】
前記カバー面に隣接するカバー壁、好ましくは、前記第１の回動面に結合されている辺を除いて、前記カバー面の各辺上にカバー壁をさらに備える、請求項１〜４のいずれか１項に記載のブランクの形態のピザボックス。
【請求項６】
前記ブランクの形態のピザボックスが、前記底面に隣接する底壁、好ましくは、前記第１または第２の回動面に結合されている辺を除いて、前記底面の各辺上に底壁をさらに備える、請求項１〜５のいずれか１項に記載のブランクの形態のピザボックス。
【請求項７】
前記底壁が、各々、前記底壁のある辺から前記ディスク面まで延在する第１の舌部を備え、各底壁は、前記底壁が前記底面に対してある角度で、好ましくは実質的に垂直に延在するまで、前記底面に対して折り畳まれるように構成され、前記ディスク面を前記底面に対して固定する目的で、前記第１の舌部を、前記第１の部分と前記第２の部分との間に挟持することができる、請求項２および６に記載のブランクの形態のピザボックス。
【請求項８】
前記底壁が、各々、前記底壁のある辺から、前記ディスク面から遠ざかるように延在する第２の舌部を備える、請求項７に記載のブランクの形態のピザボックス。
【請求項９】
少なくとも前記カバー面と前記第１の回動面との間の境界、ならびに／または前記第１の回動面と前記底面との間の境界、ならびに／または前記底面と前記第２の回動面との間の境界、ならびに／または前記第２の回動面と前記ディスク面との間の境界、ならびに／または前記第１の部分と前記第２の部分との間の境界、ならびに／または前記カバー面と前記カバー壁との間の境界、ならびに／または前記底面と前記底壁との間の境界、ならびに／または前記底壁と前記第１および／もしくは第２の舌部との間の境界は、折り目によって画定されている、前記請求項１〜８のいずれか１項に記載のブランクの形態のピザボックス。
【請求項１０】
前記開口部分が、折り目または切れ目の少なくとも一方によってさらに画定され、前記開口部分は、好ましくは、少なくとも前記ピザボックスが形成された後に、前記開口部分内で、好ましくは前記底面と平行に、延在する１つ以上の折り目を、前記カバー面の位置に備える、請求項１〜９のいずれか１項に記載のブランクの形態のピザボックス。
【請求項１１】
前記ブランクの形態のピザボックスは、段ボールから製造されている、請求項１〜１０のいずれか１項に記載のブランクの形態のピザボックス。
【請求項１２】
前記ディスクには、例えば、前記ディスクの中心から半径方向に延在し、好ましくは前記ディスク上に均一に分布された、特徴的な色または形状または線によって、領域インジケータが設けられている、請求項１〜１１のいずれか１項に記載のブランクの形態のピザボックス。
【請求項１３】
請求項１〜１２のいずれか１項に記載のブランクの形態のピザボックスを折り畳むことにより形成された、ピザボックス。
【請求項１４】
前記ボックス内に配置され、ピザをその上に置くことができる回転可能ディスクと、ミシン目縁部によって前記ボックス内に画定され、それを使用して前記ディスクへのアクセスを得ることができる開口部分と、を備えるピザボックスであって、前記開口部分は、前記ボックスの底部からカバーまで延在し、前記ディスクは、前記ボックスの前記底部内に収まることを特徴とする、ピザボックス。
【発明の詳細な説明】
【技術分野】
【０００１】
本発明は、回転ディスク付きピザボックスを形成するためのブランクの形態のピザボックスに関する。本発明はさらに、回転ディスク付きピザボックスに関する。
【０００２】
ピザやその他の種類の食品は、消費者が家庭で、または食品が調理されるレストラン以外の場所で、ますます食されている。レストランで食品を食するのと同様の料理体験を提供するために、食品は、適切に包装され、消費者に迅速に届けられねばならない。これらの目標が達成されるかどうかは、包装材に大きく依存する。そのような包装材を迅速かつ確実に組み立てることが可能でなければならず、それは、食品を暖かく保つ必要がある。環境への配慮から、一般的に単回使用であるこの包装を、使用後に処理することができる方法が、ますます考慮されている。
【０００３】
ピザボックスは、通常、製造業者からブランクの形態で供給される。これは、いくつかの折り目、ミシン目、切れ目が設けられた平坦な段ボール片を、レストランでピザボックスに折り畳むことを意味する。本発明のコンテクストでは、そのような平坦な段ボール片を、ブランクの形態のピザボックスと称し、それを、折り畳まれたピザボックスと区別する。保温されるべき他の食用品もまた、本発明によるボックスで輸送および保温することができるので、本発明は、他の点ではピザに限定されない。
【０００４】
ピザをより長く暖かく保つことを目的とするピザボックスが、ＮＬ１０４０４２８から知られている。この特許に記載されているピザボックスは、底面とカバー面とを備える。さらに、底面の第１の辺をカバー面に回動可能に接続する第１の回動面が設けられている。ピザボックスはまた、少なくともミシン目縁部によって画定されている開口部分を備え、開口部分は、部分的に第１の回動面内に、かつ部分的にカバー面内に、位置する。
【０００５】
上記の特許に記載されているピザボックスは、ボックス内の所定の位置に保持された回転可能ディスクを、ピザボックスの側壁に形成された回転スロットによって利用する。レストランで、ピザをこの回転可能ディスクに置くことができ、その後、ピザボックスが閉じられ、ピザが配達される。
【０００６】
ユーザは、開口部分を開くことで、ピザへのアクセスを得ることができる。開口部分は、消費者がカット済みのピザスライスをボックスから取り出せるようなサイズになっている。ディスクを回転させることにより、消費者は、次のピザスライスを開口部分の下方に置き、所望により、それをボックスから取り出すことができる。
【０００７】
回転ディスクを比較的小さな開口部分と併用する利点は、ピザスライスを取り出すたびに消費者がボックス全体を開けなければならない状況よりも、ピザを暖かく保つことができることである。
【０００８】
しかしながら、周知のブランクの形態のピザボックスをピザボックスに折り畳むことは、多くの複雑な作業を伴う。したがって、回転ディスクをピザボックスの側壁のスロット内に滑り込ませる必要がある。そのために、ピザボックスを折り畳むのは比較的時間がかかる。この時間により、レストランのオーナーに追加コストがもたらされる。
【０００９】
そのために、本発明の目的は、より迅速にピザボックスに折り畳むことができるブランクの形態のピザボックスを提供することである。さらなるまたは他の目的は、ブランクの形態のピザボックスをピザボックスに折り畳むのにより複雑でない作業を必要とする、ブランクの形態のピザボックスを提供することである。
【００１０】
これらの目的のうちの少なくとも１つは、少なくとも部分的に請求項１で定義されるようなブランクの形態のピザボックスによって達成される。本発明によれば、ブランクの形態のピザボックスは、少なくとも部分的にミシン目縁部によって画定された解放可能ディスクを備えるディスク面を備えることを特徴とする。ブランクの形態のピザボックスは、底面の第２の辺をディスク面に回動可能に接続する第２の回動面をさらに備える。ディスクは、ディスク面の残りの部分から解放されると、ここでは、底面内で回転することができる。ブランクの形態のピザボックスは、開口部分が、部分的に底面内に同様に位置することをさらに特徴とする。
【００１１】
ディスク面は、第２の回動面を介してブランクの形態のピザボックスの残りの部分に接続され、ディスク面は解放可能ディスクを備えるので、上記の周知のピザボックスの場合のように、ブランクの形態のピザボックスと別個のディスクとの両方が提供される必要がある代わりに、ユーザは、ピザボックスを折り畳む目的で単一の要素を提供するだけでよい。開口部分は部分的に底面内に位置するので、消費者は、ディスクはピザボックス内部で全体として回転することにもかかわらず、ピザのスライスへのアクセスを得るためにディスクを回転させるという選択肢を有する。単一要素のさらなる利点は、ディスクが使用直前までピザボックスの残りの部分に取り付けられているので、ディスクの衛生状態を保証しやすいことである。
【００１２】
第２の回動面は、回動可能に結合された第１の部分および第２の部分を備えることができ、第１の部分は、底面に回動可能に接続され、第２の部分は、ディスク面に回動可能に接続され、第２の回動面は、ユーザが、第１の部分および第２の部分を折り畳むことによってディスク面を底面上に移動させることを可能し、第１の部分は、形成されたピザボックスの外壁を少なくとも部分的に形成し、第２の部分は、内壁を少なくとも部分的に形成する。ここで、内壁は、好ましくは、外壁と平行に延在する。ディスク面は、底面上に移動した後、底面内に全体的に収まることがさらに好ましい。そうでない場合、第２の回動面は、第１の部分と第２の部分との間に配置された複数の部分を備えることが可能である。
【００１３】
第１および第２の部分は、ブランクの形態のピザボックスが部分的に折り畳まれた後にのみ、ディスクを解放することを可能にする。解放可能ディスクは、ブランクの形態のピザボックスを折り畳むことの少なくとも一部の間、ブランクの形態のピザボックスの残りの部分に取り付けられたままであるので、容易には落下または損傷しにくい。したがって、第１および第２の部分と、底面と解放されたディスクとの間の相互摩擦とにより、ディスクがブランクの形態のピザボックスから分離されるリスクが低減される。
【００１４】
ディスクをピザボックス内に置くことは、今や、ブランクの形態のピザボックスをピザボックスに折り畳むことの不可欠な部分であるので、折り畳みプロセスは、別個のディスクが使用される上記の周知のプロセスよりも単純なプロセスである。
【００１５】
解放可能ディスクは、少なくとも部分的にミシン目縁部によって画定されているので、ユーザは、ツールの介入なしに、追加労力をほとんどかけずに、ディスクをディスク面から解放することによって、必要なディスクを底面上に回転可能に設けることができる。したがって、ディスクの解放には、多くの追加時間はかからない。
【００１６】
底面の第１の辺は、好ましくは、底面の第２の辺の反対側に位置する。これにより、ブランクの形態のピザボックスは、簡単な方法で製造、輸送、保管、および使用することができる、細長い、容易に加工される形態をとる。底面およびカバー面は、長方形の形態、より好ましくは正方形の形態を有することがさらに好ましい。
【００１７】
ピザボックスを上から適切に閉じることと、カバーが落ち込まないように、かつ／またはピザと接触しないようにカバー面を支持することとができるために、ブランクの形態のピザボックスは、カバー面に隣接するカバー壁をさらに備えることができる。一緒になって、カバー面とそれに隣接するカバー壁とは、カバーを形成することができる。より具体的には、カバー面は、好ましくは、第１の回動面に結合された辺を除いて、カバー面の各辺上にカバー壁を備えることができる。完全に折り畳まれて閉じられたピザボックスの場合、カバー壁が底面を支持することが好ましい。
【００１８】
同様の方法で、ブランクの形態のピザボックスには、底面に隣接する底壁をさらに装備することができる。好ましくは、まさに、第１または第２の回動面に結合された辺を除いて、底面の各辺上に底壁が装備される。底壁は、各々、底壁のある辺からディスク面まで延在する第１の舌部を備えることができ、各底壁は、底壁が底面に対してある角度で、好ましくは実質的に垂直に延在するまで、底面に対して折り畳まれるように構成され、第１の舌部を、ディスク面を底面に対して固定する目的で、第１の部分と第２の部分との間に挟持させることができる。底壁は、各々、底壁のある辺からディスク面から遠ざかるように延在する第２の舌部をさらに備えることができる。底壁ならびにそれに接続された第１および第２の舌部は、底面と一緒に、ピザボックスの底部の境界を定め、ピザボックスの内側を画定する。
【００１９】
とりわけ、折り目が装備されているので、ピザボックスの迅速な折り畳みが可能になる。これらの目は、折り畳みが行われなければならない箇所を示し、ブランクの形態のピザボックスの材料の局所的な脆弱部を含み、したがって、折り畳みをより簡単に行うことができる。そのような脆弱部は、例えばクリーズ加工によって構成することができる。
【００２０】
考えられる実施形態では、少なくともカバー面と第１の回動面との間の境界、ならびに／または第１の回動面と底面との間の境界、ならびに／または底面と第２の回動面との間の境界、ならびに／または第２の回動面とディスク面との間の境界、ならびに／または第１の部分と第２の部分との間の境界、ならびに／またはカバー面とカバー壁との間の境界、ならびに／または底面と底壁との間の境界、ならびに／または底壁と第１および／もしくは第２の舌部との間の境界は、折り目によって画定される。
【００２１】
開口部分のより簡単な開放を可能にするために、開口部分は、折り目または切れ目のうちの少なくとも一方によってさらに画定することができ、開口部分は、好ましくは、少なくともピザボックスが形成された後に、開口部分内に、好ましくは底面に平行に、延在する１つ以上の折り目を、カバー面の位置に備えることができる。開口部分が全体として解放される必要がない場合は、開口部分の縁部の一部をミシン目または切れ目で画定しないことが可能である。それでもアクセスを提供するために、開口部分は、向こう側に折り畳まれなければならず、それは、開口部分内に延在する１つ以上の折り目によって単純化することができる。これらの折り目は、例えば、ピザボックスが形成された後に、底面に平行に延在することができる。
【００２２】
従来技術で通常行われているように、ブランクの形態のピザボックスは、段ボールから製造することができる。この材料は、比較的軽く、ある程度断熱性がある。
【００２３】
ピザスライスが、異なる変種、いわゆる複合ピザを含む場合、または消費者がピザのスライスの分布に関して明確さを望む場合、回転可能ディスクには、例えば、ディスクの中心から放射状に延在し、好ましくはディスク上に均一に分布された、特徴的な色または形状または線によって、領域インジケータを設けることが好ましい。
【００２４】
第２の態様によれば、本発明は、上記のブランクの形態のピザボックスを折り畳むことによって形成されるピザボックスを提供する。
【００２５】
第３の態様によれば、本発明は、ボックス内に配置され、ピザをその上に置くことができる回転可能ディスクと、ミシン目縁部によってボックス内に画定され、それを使用してディスクへのアクセスを得ることができる開口部分とを備える、ピザボックスを提供する。ピザボックスは、ここでは、開口部分がボックスの底からカバーまで延在することと、ディスクがボックスの底部内に収まることとを特徴とする。
【図面の簡単な説明】
【００２６】
本発明を、添付の図を参照して以下でさらに説明する。
【００２７】
【図１】本発明によるブランクの形態のピザボックスの一実施形態の上面図を示す。
【図２】さまざまな折り目、ミシン目、および切れ目が示されている図１の上面図を示す。
【図３】各々が、図１のブランクの形態のピザボックスをピザボックスに折り畳むさまざまな段階の斜視図を示す。
【図４】各々が、図１のブランクの形態のピザボックスをピザボックスに折り畳むさまざまな段階の斜視図を示す。
【図５】各々が、図１のブランクの形態のピザボックスをピザボックスに折り畳むさまざまな段階の斜視図を示す。
【図６】各々が、図１のブランクの形態のピザボックスをピザボックスに折り畳むさまざまな段階の斜視図を示す。
【００２８】
以下において、「ユーザ」は、ピザボックスを折り畳む人を示し、「消費者」は、ピザボックスに入れられたピザを食べようとする人を示す。本発明は、消費者とユーザとが同一人物であることを排除するものではない。この区別は、例示としてのみさらに行われ、本発明は、この区別に限定されない。
【００２９】
図１の上面図は、本発明によるブランクの形態のピザボックス１の一実施形態を示す。ブランクの形態のピザボックス１は、ピザボックスを折り畳んだ後に底部として機能する底面２と、ピザボックスを折り畳んだ後にカバーとして機能するカバー面３とを備える。ブランクの形態のピザボックス１はまた、カバー面３から底面２まで延在する開口部分４を備え、ブランクの形態のピザボックス１は、解放可能ディスク６が位置するディスク面５を備える。
【００３０】
底面２は、ある辺でカバー面３に、第１の回動面７によって回動可能に結合されている。底面２はさらに、反対側の辺でディスク面５に、第２の回動面８によって回動可能に結合されている。第２の回動面８は、相互に回動するために結合された第１の部分８’および第２の部分８”を備える。
【００３１】
カバー面３またはディスク面５に結合されていないすべての辺で、底面２は、底壁９に回動可能に結合されている。第１の舌部１０’および第２の舌部１０”を、これらの底壁９にさらに結合させることができる。
【００３２】
底面２に結合されていない辺で、カバー面３は、カバー壁１１に回動可能に結合されている。
【００３３】
底面２およびカバー面３は、好ましくは、長方形、より具体的には正方形を有する。底壁９およびカバー壁１１は、好ましくは、それらが適切に互いに適合するように、ほぼ同じ形状を有する。しかしながら、図１に示された形状以外の形状も、もちろん、これらすべての面に可能である。
【００３４】
底面２の、底面２と第２の回動面８との間の境界のすぐ近くに、少なくとも１つの挟持スロット１２が位置する。ディスク面５と第２の回動面８、より具体的には第２の部分８”との間の境界は、折り目と切れ目の組み合わせによってさらに形成され、図２を参照されたい。この組み合わせの切れ目部分は、各挟持スロット１２の位置に配置され、ディスク面５を第２の部分８”に対して折り畳んだ後に、以下に説明するように、挟持舌部１３が各挟持スロット１２に対して帰着し、その舌部によって、第２の部分８”とそれに接続されたディスク面５とを、底面２に対して固定することができる。挟持舌部１３の形成は、上記の組み合わせの切れ目部分が折り目部分に対してオフセットして配置されるということで可能である。
【００３５】
図１に示されるように、ディスク面５は、開口１５によって分離された２つの未接続の接続要素１４と、解放可能ディスク６とからなることができる。ディスク６は、ここでは、接続要素１４によって部分的にのみ包囲されている。単一の接続要素が使用される実施形態、および／または１つ以上の接続要素がディスク６を実質的に全体的に包囲する実施形態も可能である。
【００３６】
開口部分４は、第１の回動面７上に延在する。開口部分４は、先細りの形態をさらにとることができ、幅狭の外側端部はカバー面３上に位置する。開口部分４の開放を支援するために、追加舌部１６を、開口部分４の幅広の外側端部に、例えば底面２上に位置させることができる。一実施形態では、開口部分４は、おおよそピザスライスの形態をとる。これにより、ユーザは、他のピザスライスがすぐに大幅に冷めることなく、ボックスからピザスライスを取り出すことが可能になる。
【００３７】
好ましい実施形態では、ブランクの形態のピザボックス１は、段ボールから製造される。段ボールからブランクの形態のピザボックス１を製造するために、従来技術では、段ボールが形成されるときに、折り目、ミシン目、および／または切れ目を所望される位置に配置するのに備えた要素が装備されたホルダが利用される。
【００３８】
折り目は、意図された折り畳み方向を明確にするように、また、段ボールに脆弱部が局所的に配置されることで、実際の折り畳みを単純化するように構成されている。折り目の形成は、クリーズ加工プロセスによって実現することができる。
【００３９】
ミシン目は、ブランクの形態のピザボックスの異なる部分を、簡単な方法で互いに少なくとも部分的に解放するように構成されている。そのような目は、段ボールに小さな穴が配置される穿孔プロセスによって形成される。
【００４０】
切れ目は、ブランクの形態のピザボックスを形成する段ボールのシートから、ブランクの形態のピザボックスを分離するために、段ボールが完全に打ち抜かれている位置を示す。
【００４１】
上記の目を図２に示すが、図中、ブランクの形態のピザボックスは、図２の垂直方向に対して対称的な形態をとることに留意されたい。切れ目は文字「ｓ」で、ミシン目は文字「ｐ」で、折り目は文字「ｖ」で示されている。別の段ボール片に直接隣接していないブランクの形態のピザボックス１の領域は、切れ目で形成されており、わかりやすくするために、図２ではそのように示されてはいない。
【００４２】
ここで図１および図２を参照すると、底面２と第１の回動面７との間の境界、および第１の回動面７とカバー面３との間の境界は、両方とも折り目によって画定されている。底面２と第２の回動面８との間の境界、および第２の回動面８の第１の部分８’と第２の部分８”との間の境界もまた、折り目によって画定されている。第２の回動面８とディスク面５との間の境界は、少なくとも部分的に折り目によって画定されている。少なくとも挟持スロット１２の位置における第２の回動面８とディスク面５との間の境界は、切れ目によって画定されている。底面２上の挟持スロット１２の境界は、少なくとも部分的に切れ目によって画定され、したがって、挟持舌部１３を挟持することができるスペースが作り出されている。底面２と底壁９との間の境界、およびカバー面３と底壁１１との間の境界は、折り目によって画定されている。
【００４３】
ディスク６は、例えばミシン目縁部によって、または当技術分野で知られている短い接続片であるいわゆるニックと組み合わせた切れ目によって、画定されている。これらの取り付け方法は、ディスク面５からのディスク６の解放を著しく単純化する。好ましい実施形態では、ディスク６は、４点でディスク面５に取り付けられている。さらなる実施形態では、第２の回動面８とディスク面５との間の境界はまた、折り目による代わりに、ミシン目によって、または短い接続片と組み合わせた切れ目によっても画定することができる。
【００４４】
開口部分６の境界は、補助手段なしでこの領域の開放を可能にするミシン目によって少なくとも部分的に画定されている。開口部分６は、切れ目によって部分的に画定されている可能性もある。好ましい実施形態では、開口部分４の先細り形態の幅狭の外側端部には、１つ以上の追加折り目２０が設けられ、段ボール片を開口部分４の位置で折り畳んで、開放位置に留めることを可能とする。これは、ピザスライスを取り出すたびにこの段ボールを上に折り畳む必要がないようにするためである。
【００４５】
開口部分４の幅広の外側端部に、開口部分４の開放を単純化するための追加舌部１６が装備されている場合、この舌部１６と一致する開口部分４の境界は、切れ目によって画定することができる。これにより、開口部分４は、準備作業をしなくても十分に把持できる部品を得、開口部分４の開放が単純化される。
【００４６】
以下では、図１および図２のブランクの形態のピザボックスを使用したピザボックスの形成を、図３〜図６を参照してさらに説明する。ピザボックスをさまざまな方法で折り畳むことが可能であること、および以下に述べるステップの順序が限定的であると見なされてはならないことは、当業者には明らかであろう。
【００４７】
第１のステップとして、ユーザは、底壁９を底面２に対して折り畳み、それらは、互いに対して垂直になる。第１および第２の舌部１０’、１０”もまた、底壁９に対して折り畳まれ、舌部１０’、１０”は、底面２に向かって折り畳まれる。
【００４８】
これの後または前に、ユーザは、底面２と第２の回動面８の第１の部分８’との間の折り目に沿って折り畳み、約９０度の角度が第１の部分８’と底面２との間に生じる結果となる。この時点で、第２の回動面８およびディスク面５は、底面２に対して直立して位置する。第１の舌部１０’はさらに、外向きの側が第１の部分８’にもたれかかる状態になる。
【００４９】
次いで、ユーザは、ディスク面５と第２の回動面８の第２の部分８”との間の折り目に沿って、ブランクの形態のピザボックスの残りの部分から遠ざかる方向に折り畳み、これは、約９０度の角度がディスク面５と第２の部分８”との間に生じる結果となる。この折り畳みステップの結果として、挟持舌部１３が、部分的に明らかになり、図３を参されたい。次いで、ユーザはまた、第１の部分８’と第２の部分８”との間の折り目に沿って底面２の方向に折り畳み、これは、１８０度の角度が第１の部分８’と第２の部分８”との間に生じる結果となる。これにより、第２の回動面８の２つの部分８’、８”は、第１のリップ１０’を挟持することができ、図４を参照されたい。ユーザは、ここで、挟持リップ１３を挟持スロット１２内に配置することができ、これにより、第２の回動面８の第１の部分８’と第２の部分８”との間の折り目に沿った折り畳みが、ピザボックスの材料の弾力性によって元に戻されないことが保証される。この時点で、ユーザは、図４に示すように、ディスク面５全体を底面２上に、かつピザボックスの底部内に配置している。
【００５０】
ユーザはまた、この目的のために意図された折り目に沿ってカバー壁１１を折り畳むことができ、それにより、約９０度の角度がカバー壁１１とカバー面３との間に生じる結果となる。
【００５１】
解放可能ディスク６は、この時点で、例えば、開口部分４の境界を画定するミシン目縁部によって、ディスク面５から解放することができる。接続要素１４は、ここでは、第２の部分８”に固定的に接続されたままであることができるが、本発明は、例えば、第２の部分８”と接続要素１４との間の接続を少なくとも部分的にミシン目および／または切れ目として具現化することによって、それが第２の部分８”から解放されることを排除しない。このようにして、ディスク面５の残りの部分が、ディスク６およびボックス内のピザに位置するようにはならない。これは、接続要素１４が、ディスク６を、図１に示されているよりも多く、あるいは全体的にさえ包囲している場合に、特に有用であり得る。
【００５２】
この時点で、ピザをディスク６上に置き、ピザボックスを閉じることができる。ピザボックスを閉じるために、ユーザは、第１の回動面７と底面２との間の折り目に沿って折り畳み、これは、９０度の角度が底面２と回動面７との間に生じる結果となる。これにより、第２のリップ１０”は、第１の回動面７にもたれかかるようになる。この時点で、第１の回動面７とカバー面３とは、底面２に対して直立になる。次いで、ユーザは、第１の回動面７とカバー面３との間の折り目に沿って折り畳み、それにより、カバー面３は、底面２に向かって折り畳まれ、これは、９０度の角度がカバー面３と第１の回動面７との間に生じる結果となり、図５を参照されたい。この実施形態では、カバー壁１１は、取り付け具を用いて直立に折り畳まれていないので、材料の弾力性のためにこの位置に留まっていない可能性がある。第１の回動面７とカバー面３との間の折り目を折り畳む間、ユーザは、カバー壁１１を、それらが底壁９内に収まるように折り畳まなければならない可能性があり、図５を参照されたい。本発明は、一実施形態では、カバー壁１１が底壁９の外側に収まることを排除しない。
【００５３】
完全に折り畳まれたピザボックス（ピザなし）を図６に示す。ここでは、カバー壁１１は、底壁９内に収まることが分かるが、本発明はこれに限定されない。図６はまた、開口部分４が開かれ、それによって消費者がディスク６へのアクセスを得ることを示す。図６は、開口部分４が、第１の回動面７と底面２との間、および第１の回動面７とカバー面３との間の折り目に沿って部分的に折り畳まれていることを示す。任意選択的に、図２の折り目２０などの１つ以上の折り目に沿って追加的に開口部分４を折り畳むことにより、消費者がピザスライスを取り出すたびに領域を上向きに折り畳む必要がないように、開口部分４が決定された位置に留まることが達成される。
【００５４】
図６に示された実施形態は、消費者が簡単な方法でディスク６を回転させることを可能にする。これは、例えば、消費者が指の間にディスク６を把持し、次いで回転させることによって行うことができる。
【００５５】
解放可能ディスク６は、上記の先行技術から知られているような回転可能ディスクよりも小さい。これにより、ディスク６は全体として底面２内に収まる。ディスク６の解放は、ピザボックスの折り畳みの不可欠な部分である。これは、別個のディスクおよび別個のピザボックスに基づく上記の先行技術から知られているようなピザボックスとは対照的である。結果として、本発明によるピザボックスを組み立てるのは、より迅速である。
【００５６】
ディスク６が、従来技術のように、部分的にピザボックスの外側に延在することはないという事実は、ディスク６が輸送中に損傷する可能性がほとんどまたは全くなく、したがって、消費者が受け取ったときに自由に回転できることがより確実であるという利点をさらに有する。周知のディスクの突出部分はまた、汚れる可能性があり、それにより、汚れた外側端部は、周知のディスクが回転するときに、ボックス内に望ましくない汚れを導入し得る。
【００５７】
好ましい実施形態では、ディスク６は、円形の形態をとる。しかしながら、ディスク６が、ボックス内に回転可能に配置することができる他の形態、例えば正六角形、八角形、または十二角形をとる実施形態も可能である。
【００５８】
本発明によるピザボックスの折り畳みアセンブリは、ファーストフード産業において加速されなければならないプロセスの一部にすぎない。ピザをボックスに入れるなど、さらに多くのステップが存在する。これを単純化するために、ボックス内に回転可能に配置されるディスク６には、このディスク６の考えられる構成に対するインジケータをさらに設けることができる。そのようなインジケータは、例えば、ディスクに印刷された色もしくは形状とすることができるし、または仕切り表示がディスクに配置される。この後者の選択肢は、異なる種類のもの、または異なる消費者に向けたものである場合に必要になり得る、さまざまなピザスライスを互いに分離しておくのにも寄与する。
【００５９】
ピザなどの食品をディスク６上に置くことにより、ピザボックスの残りの部分が食品と接触しないことが保証される。これにより、ピザボックスの残りの部分が、汚れる、かつ／または脂っこくなることはなく、可能な材料であれば、リサイクルすることができる。
【００６０】
食品のどの部分がどこにあるかを消費者が適切に確認できるには、カバーを約４５度まで開く必要があるので、カバー全体を開閉するのは、比較的時間がかかる。また、カバーを開くと、ピザなどのカバーされるべき食品のより多くの部分が周囲に露出し、食品がより早く冷める。開口部分４を使用すると、ボックスの小さな開口部のみを開くことを必要とする。開閉はより短い時間で行われ、カバーされるべき食品のより少ない部分が周囲に露出されるので、ピザなどのカバーされるべき食品がすぐには冷めにくい。好ましい実施形態では、開口部分４は、いかなる場合も、消費者がこの開口部分を通してアクセスを得るピザスライスに合致する幅を有する。
【００６１】
ユーザがピザボックスを組み立てた後、開口部分４はまだ開かれていない。この作業は、通常、消費者によって実行される。開口部分４は、底面２、第１の回動面７、およびカバー面３上に延在する。開口部分４は底面２の一部も含むので、開口部分４によって提供される開口部分はまた、消費者がディスクの下側に手を伸ばし、それを回転させることを可能にする。
【００６２】
この実施形態では、開口部分４は、折り目によって部分的に画定され、かつミシン目によって部分的に画定されている。これにより、開口部分４の一部を、ピザボックスの残りの部分から、ミシン目に沿って解放することが可能である。開口部分４を向こう側に折り畳むと、ピザボックス内のディスク６にアクセスできる。
【００６３】
このミシン目を分解することは、開口部分４を切れ目によっても画定することによって単純化することができ、それにより、ユーザは、開口部分４がまだ開かれていないときに、開口部分４をよりよく把持することができる。そのような切れ目は、図１の追加舌部１６を画定するためにも使用できる。
【００６４】
開口部分４の向こう側への折り畳みは、部分的に向こう側に折り畳むことができるように、図２の折り目２０などのさまざまな折り目を開口部分４にさらに設けることにより単純化することができる。
【００６５】
別の考えられる実施形態では、開口部分４は、ミシン目によってのみ画定される。これにより、開口部分４をピザボックスの残りの部分からミシン目に沿って完全に解放することが可能である。
【００６６】
本発明は、ここに示された実施形態に限定されないが、さまざまな変更が、添付の特許請求の範囲によって定義される保護の範囲から逸脱することなく可能であることが、当業者には明らかであろう。
【図１】
2021534047.tif 000003
【図２】
2021534047.tif 000004
【図３】
2021534047.tif 000005
【図４】
2021534047.tif 000006
【図５】
2021534047.tif 000007
【図６】
2021534047.tif 000008
【国際調査報告】
2021534047.tif 000009
2021534047.tif 000010
2021534047.tif 000011